(57)【特許請求の範囲】
【請求項１】
データ処理手段と、
該データ処理手段で処理されたデータの表示を制御する表示制御手段と、
該表示制御手段の制御に基づいて上記データを文字，図形などで表示する表示パネルと、
該表示パネルの脇の所定方向の装置側面に配されたデータ送受信手段と、
キーボードから送信されるデータの受信を受け付ける第１のモードと他の装置とデータの通信を行なう第２のモードとを設定する設定手段とを備え、
上記データ処理手段は、上記第1のモードが設定されているとき、上記データ送受信手段で受信した信号をキーボードの操作データとして処理し、上記第２のモードが設定されているとき、上記データ送受信手段で受信した信号を他の装置からの受信データとして処理し、
上記第１のモードが設定されているとき、上記送受信手段が配された方向を下側とする表示を上記表示パネルで行うように、上記表示制御手段が表示の制御を行い、
上記第２のモードが設定されているとき、上記送受信手段が配された方向と逆方向を下側とする表示を上記表示パネルで行うように、上記表示制御手段が表示の制御を行うようにした表示装置。
【請求項２】
上記送受信手段が、赤外線信号発光受光手段である請求項１に記載の表示装置。
【請求項３】
表示パネルで文字，図形などを表示させる表示方法において、
キーボードから送信されるデータの受信を受け付ける第１のモードが設定されているとき、送受信手段の配置に対応して定められた第１の方向を下側とする表示を表示パネルで行うように制御し、
他の装置とデータの通信を行なう第２のモードが設定されているとき、上記第１の方向とは逆の方向を下側とする表示を上記表示パネルで行うように制御し、
上記第1のモードが設定されているとき、上記表示パネルの脇の所定方向の装置側面に配されたデータ送受信手段で受信した信号をキーボードの操作データとして処理し、上記第２のモードが設定されているとき、上記データ送受信手段で受信した信号を他の装置からの受信データとして処理する表示方法。
【発明の詳細な説明】
【０００１】
【産業上の利用分野】
本発明は、ＰＤＡ（Ｐｅｒｓｏｎａｌ  Ｄｉｇｉｔａｌ  Ａｓｓｉｓｔａｎｔ）と称される携帯用として比較的小型に構成されたパーソナルデータ処理端末の表示部に適用して好適な表示装置及び表示方法に関する。
【０００２】
【従来の技術】
従来、ＰＤＡと称される携帯用として比較的小型に構成されたパーソナルデータ処理端末装置が各種実用化されている。
【０００３】
図４は、この種の端末装置の一例を示す図で、図中１はデータ処理端末装置全体を示し、この端末装置１は比較的大型の表示パネル２を備え、この表示パネル２に処理されたデータを文字，数字などで表示させる。また、この表示パネル２は、タッチパネルを兼ねていて、表示パネル２の表面をペンなどで触れることで、各種入力操作ができるようにしてある。また、キー３を備え、このキー操作によっても、入力ができるようにしてある。さらに、この端末装置１の上部には、他の端末装置との通信用の赤外線信号発光部４及び受光部５を備える。
【０００４】
また、この端末装置１はデータ入出力端子６を備え、この端子６に各種外部機器を接続することができる。図４ではキーボード４０を接続させた場合の例を示す。即ち、各種文字，数字が直接入力できるキー４１を備えたキーボード４０の信号ケーブル４２の先端のコネクタ４３を、端末装置１のデータ入出力端子６に接続することで、キーボード４０が端末装置１のデータ入力用キーボードとなり、タッチパネルを使用した入力を行う場合に比べて、より迅速にデータ入力ができるようになる。
【０００５】
次に、赤外線信号発光部４及び受光部５を使用した他の端末装置との通信状態を図５に示す。ここでは、同一構成の端末装置１を２台用意し、図５に示すように、各端末装置１の上部どうしを突き合わせた状態に配置し、各端末装置の赤外線信号発光部４と赤外線信号受光部５とを近接させる。このように配することで、２台の端末装置間で赤外線信号の双方向伝送が可能になり、この赤外線信号で一方の端末装置が記憶したデータを他方の端末装置に伝送することが可能になり、端末装置としての使用範囲が広がる。
【０００６】
なお一般に、この種の端末装置は、その操作性などから赤外線信号の発光部４及び受光部５を表示パネルの上側に配置して、図５に示すように２台を突き合わせてデータ伝送ができるようにしてある。他の位置（例えば表示パネルの下側）に発光部や受光部を配置すると、データ伝送時の操作性が悪くなるので、通常はこの種の端末装置では上側に配置したものが殆どである。
【０００７】
【発明が解決しようとする課題】
ところで、図４に示した信号ケーブル４２でキーボードを接続するのは手間がかかり、信号ケーブルがあると使用上邪魔であるので、ワイヤレス化したキーボードが提案されている。即ち、例えば図６に示すように、キーボード５０として、用意された各種キー５１の操作に基づいて、赤外線信号の操作信号が出力される赤外線信号発光部５２を備える。そして、端末装置１′としては、下側にキーボード用の赤外線信号受光部７を設置する。
【０００８】
このように構成されることで、キーボード５０側から出力される赤外線信号が、受光部７で受信されて、キーボードによる入力をワイヤレスで行うことができる。
【０００９】
ところが、このように構成すると、端末装置としては２つの赤外線信号受光部５，７を備えることになり、装置の構成が複雑になってしまう不都合があった。即ち、本来は装置の上側にある赤外線信号受光部５で、キーボード５０からの赤外線信号を受光するようにすれば、赤外線信号受光部が１箇所で良く、簡単な構成でワイヤレスキーボードが使用可能になるが、キーボードは端末装置１の下側に配置しないと操作できないので、上側にある赤外線信号受光部５をワイヤレスキーボード用として使用するのには無理がある。また、他の端末装置と通信を行う発光部４，受光部５を上部以外の他の位置に配置するのも困難で、もし他の位置に配置した場合には図５に示すような上部どうしを突き合わせた状態での通信が困難で、通常のＰＤＡとは異なる通信操作が必要になってしまい操作性が悪くなってしまう。
【００１０】
本発明はかかる点に鑑み、この種の端末装置において、簡単な構成でワイヤレスキーボードが使用できるようにすることを目的とする。
【００１１】
【課題を解決するための手段】
本発明は、データ処理手段と、このデータ処理手段で処理されたデータの表示を制御する表示制御手段と、この表示制御手段の制御に基づいて上記データを文字，図形などで表示する表示パネルと、この表示パネルの脇の所定方向の装置側面に配されたデータ送受信手段と、キーボードから送信されるデータの受信を受け付ける第１のモードと他の装置とデータの通信を行う第２のモードとを設定する設定手段とを備え、データ処理手段は、第1のモードが設定されているとき、データ送受信手段で受信した信号をキーボードの操作データとして処理し、第２のモードが設定されているとき、データ送受信手段で受信した信号を他の装置からの受信データとして処理し、第１のモードが設定されているとき、送受信手段が配された方向を下側とする表示を表示パネルで行うように、表示制御手段が表示の制御を行い、第２のモードが設定されているとき、送受信手段が配された方向と逆方向を下側とする表示を表示パネルで行うように、表示制御手段が表示の制御を行うようにしたものである。
【００１４】
また、送受信手段を、赤外線信号発光受光手段としたものである。
【００１５】
【作用】
本発明によると、キーボードから送信されるデータの受信を受け付ける第１のモードが設定されているときには、受信手段が配された方向を下側とする表示が表示パネルで行われるので、表示装置の手前にキーボードを配置して操作することが可能になり、またキーボードを使用しないモードのときには他の方向の表示が行われるので、例えば受信手段を上側として他の装置とデータ伝送を行うことが可能になる。
【００１６】
【実施例】
以下、本発明の一実施例を図１〜図３を参照して説明する。
【００１７】
本例においては、ＰＤＡと称される携帯用として比較的小型に構成されたパーソナルデータ処理端末に適用したもので、図１に示すように構成する。図１において１１は各部のデータ処理を制御する中央制御装置（ＣＰＵ）を示し、中央制御装置１１にはプログラムデータなどが記憶されたＲＯＭ１２と、外部から入力されたデータなどを記憶するＲＡＭ１３とが接続させてある。そして、中央制御装置１１によりこの端末装置の各種動作モードが設定されるようにしてある。この動作モードとしては、例えばワイヤレスキーボード使用モード，通信モード等が用意されている。
【００１８】
また、中央制御装置１１はバスラインを介して表示制御部１４及び操作指令処理部１５が接続される。表示制御部１４では、中央制御装置１１から供給されるデータを表示用のデータ（ビットマップデータ等）とし、この表示用データに基づいて表示部２０を構成する液晶表示パネル２１の表示駆動を行い、文字，図形などとして表示させる。なお、本例の場合には、中央制御装置１１側でワイヤレスキーボード使用モードが設定されている場合には、表示制御部１４での制御による表示パネル２１での文字，図形などの表示が、他のモードでの表示（この表示を以下通常表示とする）と上下を逆にした反転表示を行うようにしてある。この表示の上下の反転は、表示データの表示座標を通常表示と逆にすることで行われる。
【００１９】
また、液晶表示パネル２１の表面はタッチパネル２２が構成され、専用の入力ペンなどでパネル２２の表示を触れることで、各種操作ができるようにしてある。このタッチパネル２２の操作情報は、操作指令処理部１５で判別されて、中央制御装置１１へ伝送する操作データに変換される。また、この装置が備える２個のキー１６ａ，１６ｂ（表示パネル２１の左右の脇に配される）の操作も、操作指令処理部１５で判別されて、中央制御装置１１へ伝送する操作データに変換される。
【００２０】
また、中央制御装置１１と接続されたバスラインには、入出力インターフェース１７を介して端子部１８及びカードスロット部１９が接続される。端子部１８には、各種外部機器のコネクタを接続することで、接続された外部機器との間でデータ伝送ができる。カードスロット部１９には、メモリカードなどのデータ処理用カードを挿入して接続させることで、このデータ処理用カード内で処理されたデータを中央制御装置１１側に読出たり、或いは中央制御装置１１側からカード側にデータを伝送させることができる。
【００２１】
さらに、中央制御装置１１と接続されたバスラインには、赤外線インターフェース３３を介して赤外線信号受光部３１及び発光部３２が接続され、赤外線信号受光部３１で受信（受光）した赤外線信号を、インターフェース３３で制御データに変換して中央制御装置１１に伝送すると共に、中央制御装置１１から出力される制御データがインターフェース３３で赤外線用データに変換されて、赤外線信号発光部３２から赤外線信号として出力される。
【００２２】
この場合、中央制御装置１１側でワイヤレスキーボードモードが設定されている場合には、赤外線信号受光部３１で受信した赤外線信号を、キーボードの操作データとしてインターフェース３３で変換処理し、中央制御装置１１に伝送する。従って、ワイヤレスキーボードモードが設定されている場合には、ワイヤレスキーボードモードから伝送される赤外線信号により、端末装置に文字などの入力操作ができ、入力された文字などを表示パネル２１に表示させる処理が行われる。
【００２３】
また、通信モードが設定されている場合には、赤外線信号受光部３１で受信した赤外線信号を、受信データとして中央制御装置１１に接続されたＲＡＭ１３に記憶させる処理が行われると共に、送信するデータがＲＡＭ１３などに用意されている場合には、このデータをインターフェース３３を介して赤外線信号発光部３２に供給して、赤外線信号として出力させる。
【００２４】
このように構成されるデータ処理端末装置の各部の配置状態は、従来と同様とされる。即ち、装置の表面中央に、液晶表示パネル２１で構成される表示部２０が配されると共に、表示部２０の上側に赤外線信号受光部３１及び発光部３２が配置される。図３は、このデータ端末装置の表示部２０を、上下逆に配した状態を示している。なお、図３において、１０は端末装置全体を示していて、表示部２０を構成する表示パネル２１での表示としては、上述した反転表示が行われている状態を示す。
【００２５】
次に、このように構成される装置の表示パネル２１で文字，図形などを表示させる場合の処理を、図２のフローチャートを参照して説明する。まず、この装置を使用するとき、入力操作をどのようにして行うかの操作モードの設定を行う（ステップ１０１）。ここでの設定としては、例えばワイヤレスキーボードを使用するワイヤレスキーボードモード，タッチパネル２２のタッチによるモードなどがある。但し、ここで何も設定を行わない場合には、自動的にタッチパネル２２を使用したモードが設定される。
【００２６】
次に、設定されている操作モードを、表示制御部１４が判断する（ステップ１０２）。ここで、設定されているモードが、ワイヤレスキーボードモードである場合には、表示データの表示座標を通常表示と逆にする処理を行い、表示パネル２１での表示状態を通常表示と反転させる（ステップ１０３）。また、設定されているモードが、ワイヤレスキーボードモード以外のモードである場合には、表示データの表示座標を逆にさせず、そのままの状態で表示させる（ステップ１０４）。
【００２７】
このようにしてワイヤレスキーボードモードが設定されている場合には、通常表示と上下が逆の表示が行われ、１個の赤外線信号受光部３１だけによる簡単な構成にもかかわらず、良好にワイヤレスキーボードを使用することができる。即ち、図３は本例の装置でワイヤレスキーボードを使用する場合を示した図で、図中５０はワイヤレスキーボードを示し、このワイヤレスキーボード５０は、端末装置１０の上側に配された赤外線信号受光部３１及び発光部３２の近傍（手前）に配置する。従って、ワイヤレスキーボード５０を操作する者は、端末装置１０を通常とは上下逆の位置から見ることになるが、このワイヤレスキーボード５０を使用するモードが設定されているときには、表示パネル２１での表示が上下逆であり（図３に示す表示状態）、操作者から見て上下が正しい状態で表示される。そして、ワイヤレスキーボード５０に用意された各種キー５１の操作に基づいて、このキーボード５０の赤外線信号発光部５２から出力される赤外線信号は、近接した赤外線信号受光部３１に届き、ワイヤレスキーボード５０による操作が、良好にできる。
【００２８】
また、この端末装置１０と他の端末装置との間で赤外線信号による通信を行う場合には、動作モードを対応した通信モードとした後、従来例として図５に示した場合と同様に、端末装置１０の上側に配された赤外線信号受光部３１及び発光部３２を、他の端末装置の上側の発光部及び受光部と近接させた状態で、対応した操作を行うことで、従来と同様にできる。この場合の表示パネル２１での文字などの表示は、赤外線信号受光部３１及び発光部３２がある側を上側とした通常表示である。
【００２９】
さらに、表示パネル２１上のタッチパネル２２の操作による表示などを行う場合にも、この通常表示が行われ、赤外線信号受光部３１及び発光部３２がある側を上側とした通常状態での使用ができる。
【００３０】
このように本例の端末装置によると、ワイヤレスキーボードを使用する場合には、赤外線信号受光部を手前に配置して使用することができると共に、他の機器と赤外線信号による通信を行うときには、赤外線信号受光部や発光部を上側に配置して使用することができ、１個の赤外線信号受光部だけを備える簡単な構成で、他の機器との通信と、ワイヤレスキーボードからの受信との双方に対処できるようになる。また、赤外線信号受光部が１個で良いので、それだけワイヤレスキーボードを使用できる機器を小型化できる。
【００３１】
なお、上述実施例ではＰＤＡと称される携帯用のパーソナルデータ処理端末の表示部に適用したが、他の各種データ表示装置にも適用できることは勿論である。
【００３２】
また、上述実施例では赤外線信号でデータの伝送を行うようにしたが、他の通信方式により伝送を行うようにしても良い。
【００３３】
【発明の効果】
本発明によると、キーボードから送信されるデータの受信を受け付ける第１のモードが設定されているときには、受信手段が配された方向を下側とする表示が表示パネルで行われるので、表示装置の手前にキーボードを配置して操作することが可能になり、またキーボードを使用しないモードのときには他の方向の表示が行われるので、例えば受信手段を上側として他の装置とデータ伝送を行うことが可能になる。従って、１個の受信手段だけを備えた簡単な構成で、ワイヤレスキーボードを使用した操作と、他の装置との通信などが可能になる。
【図面の簡単な説明】
【図１】本発明の一実施例によるデータ処理端末を示す構成図である。
【図２】一実施例による表示設定処理を示すフローチャートである。
【図３】一実施例による使用例を示す斜視図である。
【図４】従来のデータ処理端末の一例を示す斜視図である。
【図５】従来のデータ処理端末による通信状態を示す斜視図である。
【図６】従来のデータ処理端末でワイヤレスキーボードを使用する状態を示す斜視図である。
【符号の説明】
１１  中央制御装置（ＣＰＵ）
１４  表示制御部
２０  表示部
２１  表示パネル
３１  赤外線信号受光部
３２  赤外線信号発光部
【図１】
0003707084.tif 000002
【図２】
0003707084.tif 000003
【図３】
0003707084.tif 000004
【図４】
0003707084.tif 000005
【図５】
0003707084.tif 000006
【図６】
0003707084.tif 000007